(57)【要約】【課題】ヘッドホンアンプ回路内部の寄生抵抗の影響を相殺することによりチャネルセパレーションを改善し、出力振幅を大きくすることができるヘッドホンアンプ回路を提供する。【解決手段】抵抗Ｒ２を有する負帰還回路を有する反転増幅器２２，２６により、抵抗Ｒ１を介してマイナス入力端子に入力される音声信号Ｌｃｈ，Ｒｃｈをそれぞれ増幅して左右のヘッドホン１２，１４の入力端に印加すると共に、ヘッドホン１２，１４の出力端に予め設定された電位の電圧を増幅器２４により印加するに際し、増幅器２４の中央出力端子１８と反転増幅器２２，２６のプラス入力端子を抵抗Ｒ４を介して接続すると共に、反転増幅器２２，２６のプラス入力端子を抵抗Ｒ３を介して接地する。【選択図】図１
2009165087.tif 000002
【特許請求の範囲】
【請求項１】
音声信号により駆動される２つの負荷の出力端に印加する予め設定された電位の電圧を増幅するための電圧増幅手段と、
第１の入力端子は、前記２つの負荷の入力端に印加する２つの音声信号がそれぞれ第１の抵抗値の抵抗を介して入力されると共に第２の抵抗値の抵抗を有する負帰還回路が接続され、第２の入力端子が、電圧レベルを調整する調整手段を介して前記電圧増幅手段の出力端に接続されると共に第３の抵抗値の抵抗を介して接地され、入力された音声信号を増幅する２つの音声信号増幅手段と、
を備えたことを特徴とするヘッドホンアンプ回路。
【請求項２】
前記第１の抵抗値、前記第２の抵抗値、前記第３の抵抗値、及び、前記調整手段の抵抗値は、前記第１の抵抗値をＲ１、前記第２の抵抗値をＲ２、前記第３の抵抗値をＲ３、及び、前記調整手段の抵抗値をＲ４とした場合に、以下の式を満たす
【数１】
2009165087.tif 000016
ことを特徴とする請求項１記載のヘッドホンアンプ回路。
【発明の詳細な説明】
【技術分野】
【０００１】
本発明は、ヘッドホンアンプ回路に関する。
【背景技術】
【０００２】
従来、ヘッドホンアンプ回路では、右チャネルと左チャネルの音声信号をそれぞれ増幅器により増幅して各ヘッドホン（負荷）に出力している。このヘッドホンアンプ回路では、左右の負荷の両端における直流電位によってはノイズが発生する場合があり、左右の増幅器の出力端にカップリングコンデンサを設けることで直流成分をカットするようにした回路も提案されている。
【０００３】
また、センターアンプとして、出力端が左右のチャネル間に接続された増幅器を設けて左右のチャネル負荷の両端における直流電位を同等にすることで、左右の増幅器の出力端にカップリングコンデンサを設けることなく、低消費電流での直流成分に起因するノイズのカットを実現させる回路も提案されている（例えば、特許文献１〜３参照）。
【０００４】
図２には、従来のセンターアンプ方式のヘッドホンアンプ回路１００の基本的な構成の一例が示されている。同図に示されるように、ヘッドホンアンプ回路１００は、左出力端子１１６，中央出力端子１１８，右出力端子１２０を備えており、左チャネルヘッドホン１１２が左出力端子１１６及び中央出力端子１１８に、右チャネルヘッドホン１１４が右出力端子１２０及び中央出力端子１１８に、それぞれ接続される。
【０００５】
また、同図に示されるように、ヘッドホンアンプ回路１００は、左用の音声信号Ｌｃｈを増幅するための反転増幅器１２２、右用の音声信号Ｒｃｈを増幅するための反転増幅器１２６、及び、ボルテージフォロアとして機能する増幅器１２４を備えている。
【０００６】
同図に示されるように、反転増幅器１２２は、マイナス入力端子に抵抗Ｒ１１を介して音声信号Ｌｃｈが入力されると共に、プラス入力端子に基準電位Ｃが入力される。また、反転増幅器１２２の出力が抵抗Ｒ１２を介して接続されており、負帰還回路として構成されている。
【０００７】
反転増幅器１２６は、マイナス入力端子に抵抗Ｒ１１を介して音声信号Ｒｃｈが入力されると共に、プラス入力端子に基準電位Ｃが入力される。また、反転増幅器１２６の出力が抵抗Ｒ１２を介して接続されており、負帰還回路として構成されている。
【０００８】
このように構成されたヘッドホンアンプ回路１００では、左出力端子１１６の電圧ＶＬは以下の（１）式により、右出力端子１２０の電圧ＶＲは以下の（２）式により、それぞれ示される。
【０００９】
【数２】
2009165087.tif 000003
【００１０】
【数３】
2009165087.tif 000004
【００１１】
また、ヘッドホンアンプ回路１００の半導体内部の寄生抵抗Ｒｃ、ヘッドホン１１２，１１４のインピーダンスをＲｈｐとすると、中央出力端子１１８の電圧Ｖｃは以下の（３）式により示される。
【００１２】
【数４】
2009165087.tif 000005
【００１３】
また、左チャネルヘッドホン１１２の出力ＶｏＬはＶＬ−Ｖｃとなるため、以下の（４）式により示される。
【００１４】
【数５】
2009165087.tif 000006
【００１５】
右チャネルヘッドホン１１４の出力ＶｏＲも左チャネルヘッドホン１１２の出力ＶｏＬと同様に、ＶｏＲ＝ＶＲ−Ｖｃとなるため、以下の（５）式により示される。
【００１６】
【数６】
2009165087.tif 000007
【特許文献１】実開平０６−０６２６２２号公報
【特許文献２】特開平０８−０６５０６８号公報
【特許文献３】特開２００３−０４７０８６公報
【発明の開示】
【発明が解決しようとする課題】
【００１７】
しかしながら、Ｒｃの値が大きい場合、左チャネル出力ＶｏＬ及び右チャネル出力ＶｏＲにおける他のチャネルの入力信号の影響が無視できなくなり、チャネルセパレーションが悪くなる、という問題点があった。
【００１８】
本発明は上記問題点を解決するためになされたものであり、回路内部の寄生抵抗の影響を相殺することによりチャネルセパレーションを改善し、出力振幅を大きくすることができるヘッドホンアンプ回路を提供することを目的とする。
【課題を解決するための手段】
【００１９】
上記目的を達成するために、本発明は、音声信号により駆動される２つの負荷の出力端に印加する予め設定された電位の電圧を増幅するための電圧増幅手段と、第１の入力端子は、前記２つの負荷の入力端に印加する２つの音声信号がそれぞれ第１の抵抗値の抵抗を介して入力されると共に第２の抵抗値の抵抗を有する負帰還回路が接続され、第２の入力端子が、電圧レベルを調整する調整手段を介して前記電圧増幅手段の出力端に接続されると共に第３の抵抗値の抵抗を介して接地され、入力された音声信号を増幅する２つの音声信号増幅手段と、を備えるようにしている。また、前記第１の抵抗値、前記第２の抵抗値、前記第３の抵抗値、及び、前記調整手段の抵抗値は、前記第１の抵抗値をＲ１、前記第２の抵抗値をＲ２、前記第３の抵抗値をＲ３、及び、前記調整手段の抵抗値をＲ４とした場合に、以下の式を満たす。
【００２０】
【数７】
2009165087.tif 000008
【発明の効果】
【００２１】
以上説明したように、本発明は、回路内部の寄生抵抗の影響を相殺することによりチャネルセパレーションを改善し、出力振幅を大きくすることができる、という優れた効果を有する。
【発明を実施するための最良の形態】
【００２２】
以下、図面を参照して、本発明の実施形態を詳細に説明する。
【００２３】
図１には、本実施形態に係るヘッドホンアンプ回路１０の概略構成が示されている。同図に示されるように、ヘッドホンアンプ回路１０は、左出力端子１６，中央出力端子１８，右出力端子２０を備えており、当該ヘッドホンアンプ回路１０の負荷である左チャネルヘッドホン１２が左出力端子１６及び中央出力端子１８に、右チャネルヘッドホン１４が右出力端子２０及び中央出力端子１８に、それぞれ接続される。
【００２４】
また、同図に示されるように、ヘッドホンアンプ回路１０は、左用の音声信号Ｌｃｈを増幅するための反転増幅器２２、右用の音声信号Ｒｃｈを増幅するための反転増幅器２６、及び、ボルテージフォロアとして機能する増幅器２４を備えている。
【００２５】
同図に示されるように、反転増幅器２２は、マイナス入力端子に抵抗Ｒ１を介して音声信号Ｌｃｈが入力されると共に、抵抗Ｒ２を介して反転増幅器２２の出力端と接続されており、負帰還回路として構成されている。また、反転増幅器２２のプラス入力端子は、抵抗Ｒ４を介して中央出力端子１８と接続されると共に、抵抗Ｒ３を介して接地されている。
【００２６】
反転増幅器２６は、マイナス入力端子に抵抗Ｒ１を介して音声信号Ｒｃｈが入力されると共に、抵抗Ｒ２を介して反転増幅器２６の出力端と接続されており、負帰還回路として構成されている。また、反転増幅器２６のプラス入力端子は、抵抗Ｒ４を介して中央出力端子１８と接続されると共に、抵抗Ｒ３を介して接地されている。
【００２７】
このように構成されたヘッドホンアンプ回路１０では、中央出力端子１８の電圧Ｖｃとすると、左出力端子１６の電圧ＶＬは以下の（６）式により、右出力端子２０の電圧ＶＲは以下の（７）式により、それぞれ示される。
【００２８】
【数８】
2009165087.tif 000009
【００２９】
【数９】
2009165087.tif 000010
【００３０】
ここで、以下の（８）式を満たすように各抵抗Ｒ１，Ｒ２，Ｒ３，Ｒ４の抵抗値を選択すると、上記（６）式及び上記（７）式は以下の（９）式及び（１０）式で示される。
【００３１】
【数１０】
2009165087.tif 000011
【００３２】
【数１１】
2009165087.tif 000012
【００３３】
【数１２】
2009165087.tif 000013
【００３４】
なお、上記（８）式を満たすＲ１、Ｒ２、Ｒ３、Ｒ４の値としては、例えば、Ｒ２＝Ｒ１、かつＲ３＝Ｒ４を満たす値があげられる。一般に、Ｒ１、Ｒ２、Ｒ３、Ｒ４の抵抗値は、数ｋΩ以上で構成されるため、中央出力端子１８からＲ３及びＲ４を介して流れる貫通電流は問題とはならない。
【００３５】
この場合、従来（（１）式及び（２）式参照）よりも、Ｖｃの分だけ出力振幅が大きくすることができる。
【００３６】
また、左チャネルヘッドホン１２の出力ＶｏＬはＶＬ−Ｖｃとなるため、以下の（１１）式により示される。
【００３７】
【数１３】
2009165087.tif 000014
【００３８】
右チャネルヘッドホン１４の出力ＶｏＲも左チャネルヘッドホン１２の出力ＶｏＬと同様に、ＶｏＲ＝ＶＲ−Ｖｃとなるため、以下の（１２）式により示される。
【００３９】
【数１４】
2009165087.tif 000015
【００４０】
これら（１１）式及び（１２）式に示されるように、左チャネルヘッドホン１２の出力ＶｏＬ及び右チャネルヘッドホン１４の出力ＶｏＲは、互いのチャネルの入力信号に影響されないこととなる。
【００４１】
以上説明したように、本実施形態によれば、抵抗Ｒ２を有する負帰還回路を有する反転増幅器２２，２６により、抵抗Ｒ１を介してマイナス入力端子に入力される音声信号Ｌｃｈ，Ｒｃｈをそれぞれ増幅して左右のヘッドホン１２，１４の入力端に印加すると共に、ヘッドホン１２，１４の出力端に予め設定された電位の電圧を増幅器２４により印加するに際し、増幅器２４の中央出力端子１８と反転増幅器２２，２６のプラス入力端子を抵抗Ｒ４を介して接続すると共に、反転増幅器２２，２６のプラス入力端子を抵抗Ｒ３を介して接地し、上記（８）式を満たすようにしている。これにより、ヘッドホンアンプ回路内部の寄生抵抗の影響を相殺することによりチャネルセパレーションを改善し、出力振幅を大きくすることができる。
【００４２】
なお、実施の形態で説明したヘッドホンアンプ回路１０の構成や各種処理の流れは一例であり、本発明の主旨を逸脱しない範囲で適宜変更可能であることは言うまでもない。
【００４３】
例えば、上記実施の形態では、アナログアンプ回路に本発明を適用した形態について説明したが、Ｄクラスアンプ回路にも適用できる。
【図面の簡単な説明】
【００４４】
【図１】実施形態に係るヘッドホンアンプ回路の構成を概略的に示すブロック図である。
【図２】従来のヘッドホンアンプ回路の構成を概略的に示すブロック図である。
【符号の説明】
【００４５】
１０   ヘッドホンアンプ回路
１２   左チャネルヘッドホン（負荷）
１４   右チャネルヘッドホン（負荷）
１６   左出力端子
１８   中央出力端子
２０   右出力端子
２２、２６    反転増幅器（音声増幅手段）
２４   増幅器（電圧増幅手段）
Ｒ１，Ｒ２，Ｒ３     （抵抗）
Ｒ４   抵抗（調整手段）
【図１】
2009165087.tif 000017
【図２】
2009165087.tif 000018